(57)【要約】本発明の実施形態は、ネットワーク通信の分野に関し、バックホールデバイスおよびバックホールデバイス制御方法を提供する。バックホールデバイスは、アクセス側ベースバンド送信モジュールと、アクセス側ベースバンド受信モジュールと、バックホール側ベースバンド送信モジュールと、バックホール側ベースバンド受信モジュールと、無線周波数チャネルと、第１のスイッチモジュールと、第２のスイッチモジュールと、アクセスアンテナと、バックホールアンテナとを含む。したがって、従来技術における無線周波数の低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
2017505568.tif 000002
【特許請求の範囲】
【請求項１】
アクセス側ベースバンド送信モジュールと、アクセス側バックホール受信モジュールと、バックホール側ベースバンド送信モジュールと、バックホール側ベースバンド受信モジュールと、無線周波数チャネルと、第１のスイッチモジュールと、第２のスイッチモジュールと、アクセスアンテナと、バックホールアンテナとを備えるバックホールデバイスであって、
前記アクセス側ベースバンド送信モジュールと前記バックホール側ベースバンド送信モジュールは、前記無線周波数チャネルの１つの端部に別々に接続され、
前記アクセス側ベースバンド受信モジュールと前記バックホール側ベースバンド受信モジュールは、前記第１のスイッチモジュールの１つの端部に別々に接続され、前記第１のスイッチモジュールの別の端部は、前記無線周波数チャネルの前記１つの端部に接続され、
前記第１のスイッチモジュールは、前記バックホールデバイスがアクセス状態にある場合、前記アクセス側ベースバンド受信モジュールと前記無線周波数チャネルの前記１つの端部の間で接続された状態を維持するように構成され、
前記第１のスイッチモジュールは、前記バックホールデバイスがバックホール状態にある場合、前記バックホール側ベースバンド受信モジュールと前記無線周波数チャネルの前記１つの端部の間で接続された状態を維持するようにさらに構成され、
前記第２のスイッチモジュールの１つの端部は、前記無線周波数チャネルの別の端部に接続され、前記第２のスイッチモジュールの別の端部は、前記アクセスアンテナおよび前記バックホールアンテナに別々に接続され、
前記第２のスイッチモジュールは、前記バックホールデバイスが前記アクセス状態にある場合、前記無線周波数チャネルの前記別の端部とアクセスアンテナの間で接続された状態を維持するように構成され、
前記第２のスイッチモジュールは、前記バックホールデバイスが前記バックホール状態にある場合、前記無線周波数チャネルの前記別の端部と前記バックホールアンテナの間で接続された状態を維持するようにさらに構成されることを特徴とするバックホールデバイス。
【請求項２】
前記アクセス側ベースバンド送信モジュールと前記バックホール側ベースバンド送信モジュールは、第３のスイッチモジュールを使用することによって前記無線周波数チャネルの前記１つの端部に別々に接続され、
前記第３のスイッチモジュールは、前記バックホールデバイスが前記アクセス状態にある場合、前記アクセス側ベースバンド送信モジュールと前記無線周波数チャネルの前記１つの端部の間で接続された状態を維持するように構成され、
前記第３のスイッチモジュールは、前記バックホールデバイスが前記バックホール状態にある場合、前記バックホール側ベースバンド送信モジュールと前記無線周波数チャネルの前記１つの端部の間で接続された状態を維持するようにさらに構成されることを特徴とする請求項１に記載のデバイス。
【請求項３】
前記第１のスイッチモジュールおよび前記第２のスイッチモジュールに接続された制御モジュールをさらに備えるデバイスであって、前記バックホールデバイスが前記第３のスイッチモジュールを備える場合、前記制御モジュールは、前記第３のスイッチモジュールにさらに接続され、
前記制御モジュールは、前記バックホールデバイスの状態を獲得するように構成され、
前記制御モジュールは、前記バックホールデバイスが、前記第１のスイッチモジュールと、前記第２のスイッチモジュールとを備える場合、前記獲得された状態に応じて前記第１のスイッチモジュールおよび前記第２のスイッチモジュールを制御するようにさらに構成され、
前記制御モジュールは、前記バックホールデバイスが、前記第３のスイッチモジュールを備える場合、前記獲得された状態に応じて前記第３のスイッチモジュールを制御するようにさらに構成されることを特徴とする請求項１または２に記載のデバイス。
【請求項４】
前記無線周波数チャネルに配置された第１のストレージモジュールをさらに備えるデバイスであって、前記第１のストレージモジュールは、専用の線路を使用することによって前記制御モジュールに接続され、
前記第１のストレージモジュールは、異なる時点におけるバックホールデバイスの事前設定された状態を記憶するように構成され、
前記制御モジュールは、前記専用の線路を使用することによって前記第１のストレージモジュールからバックホールデバイスの前記状態を読み取るようにさらに構成されることを特徴とする請求項３に記載のデバイス。
【請求項５】
前記無線周波数チャネルに配置された第２のストレージモジュールをさらに備えるデバイスであって、前記第２のストレージモジュールは、前記無線周波数チャネルの前記別の端部と前記制御モジュールの間の線路を使用することによって前記制御モジュールに接続され、
前記第２のストレージモジュールは、異なる時点におけるバックホールデバイスの事前設定された状態を記憶するように構成され、
前記制御モジュールは、前記無線周波数チャネルの前記別の端部と前記制御モジュールの間の前記線路を使用することによって前記第２のストレージモジュールからバックホールデバイスの前記状態を読み取るようにさらに構成されることを特徴とする請求項３に記載のデバイス。
【請求項６】
前記無線周波数チャネルは、
送信機と、前記第１のスイッチモジュールに接続された受信機と、前記送信機および前記受信機に別々に接続されたサーキュレータと、前記サーキュレータに接続されたフィルタとを備え、前記フィルタの別の端部は、前記第２のスイッチモジュールに接続され、
前記バックホールデバイスは、前記第３のスイッチモジュールを備えず、前記送信機は、前記アクセス側ベースバンド送信モジュールおよび前記バックホール側ベースバンド送信モジュールに別々に接続され、
前記バックホールデバイスが前記第３のスイッチモジュールを備える場合、前記送信機は、前記第３のスイッチモジュールに接続されることを特徴とする請求項１ないし５のいずれか一項に記載のデバイス。
【請求項７】
２つ以上の無線周波数チャネルが存在する場合、各無線周波数チャネルは、前記アクセス側ベースバンド送信モジュール、前記アクセス側ベースバンド受信モジュール、前記バックホール側ベースバンド送信モジュール、および前記バックホール側ベースバンド受信モジュールのグループに別々に対応し、
バックホールデバイスが、前記第１のストレージモジュールを備える場合、前記２つ以上の無線周波数チャネルは、前記第１のストレージモジュールを共有し、
バックホールデバイスは、前記第２のストレージモジュールを備え、前記２つ以上の無線周波数チャネルは、前記第２のストレージモジュールを共有することを特徴とする請求項１ないし５のいずれか一項に記載のデバイス。
【請求項８】
請求項１ないし７のいずれか一項に記載の前記バックホールデバイスに適用されるバックホールデバイス制御方法であって、
前記バックホールデバイスの状態を獲得するステップと、
前記バックホールデバイスが、前記第１のスイッチモジュールと、前記第２のスイッチモジュールとを備える場合、前記獲得された状態に応じて前記第１のスイッチモジュールおよび前記第２のスイッチモジュールを制御するステップとを備え、
前記第１のスイッチモジュールは、前記バックホールデバイスがアクセス状態にある場合、前記アクセス側ベースバンド受信モジュールと前記無線周波数チャネルの前記１つの端部の間で接続された状態を維持するように構成され、
前記第１のスイッチモジュールは、前記バックホールデバイスがバックホール状態にある場合、前記バックホール側ベースバンド受信モジュールと前記無線周波数チャネルの前記１つの端部の間で状態を維持するようにさらに構成され、
前記第２のスイッチモジュールは、前記バックホールデバイスが前記アクセス状態にある場合、前記無線周波数チャネルの前記別の端部と前記アクセスアンテナの間で接続された状態を維持するように構成され、
前記第２のスイッチモジュールは、前記バックホールデバイスが前記バックホール状態にある場合、前記無線周波数チャネルの前記別の端部と前記バックホールアンテナの間で接続された状態を維持するようにさらに構成されることを特徴とするバックホールデバイス制御方法。
【請求項９】
前記バックホールデバイスが、前記無線周波数チャネルと前記アクセス側ベースバンド送信モジュールと前記バックホールデバイスにおける前記バックホール側ベースバンド送信モジュールとを接続するように構成された第３のスイッチモジュールをさらに備える場合、
前記獲得された状態に応じて前記第３のスイッチモジュールを制御するステップとをさらに備える方法であって、
前記第３のスイッチモジュールは、前記バックホールデバイスが前記アクセス状態にある場合、前記アクセス側ベースバンド送信モジュールと前記無線周波数チャネルの前記１つの端部の間で接続された状態を維持するように構成され、
前記第３のスイッチモジュールは、前記バックホールデバイスが前記バックホール状態にある場合、前記バックホール側ベースバンド送信モジュールと前記無線周波数チャネルの前記１つの端部の間で接続された状態を維持するようにさらに構成されることを特徴とする請求項８に記載の方法。
【請求項１０】
前記バックホールデバイスの状態を前記獲得するステップは、
前記バックホールデバイスが前記第１のストレージモジュールを備える場合、前記第１のストレージモジュールに接続された専用の線路を使用することによって前記第１のストレージモジュールから前記バックホールデバイスの前記状態を読み取るステップと、
前記バックホールデバイスが前記第２のストレージモジュールを備える場合、前記無線周波数チャネルの前記別の端部に接続された線路を使用することによって前記第２のストレージモジュールから前記バックホールデバイスの前記状態を読み取るステップとを備えることを特徴とする請求項８または９に記載の方法。
【発明の詳細な説明】
【技術分野】
【０００１】
本発明は、ネットワーク通信技術の分野に関し、詳細には、バックホールデバイスおよびバックホールデバイス制御方法に関する。
【背景技術】
【０００２】
無線インターフェースバックホールは、ベースバンドと無線周波数が統合される基地局において使用される一般的なデータ伝送様態である。ＴＤＤ（Ｔｉｍｅ  Ｄｉｖｉｓｉｏｎ  Ｄｕｐｌｅｘｉｎｇ、時分割複信）モードにおける通信システムにおいて、スペクトルを追加することなしに、アクセス側とバックホール側が、タイムスロットを調整することによってＴＤＤ帯域内中継におけるスペクトルを共有することが可能である。
【０００３】
現在、ＴＤＤ帯域内中継のアクセス側（Ａｃｃｅｓｓ  Ｐｏｉｎｔ  Ｂａｓｅ  Ｔｒａｎｓｃｅｉｖｅｒ  Ｓｔａｔｉｏｎ、ＡＰ  ＢＴＳ）およびバックホール側（Ｂａｃｋｈａｕｌ  Ｕｓｅｒ  Ｅｑｕｉｐｍｅｎｔ、ＢＨ  ＵＥ）は、アクセス側およびバックホール側それぞれの独立した無線周波数チャネルを使用する。特に、図１を参照すると、アクセス側ベースバンド送信モジュール１０１が、アクセス側ベースバンド送信モジュール１０１に対応する無線周波数チャネル１０２を使用することによってアクセスアンテナ１０３にデータを送信し、アクセスアンテナ１０３が、そのデータを端末装置に送信し、アクセスアンテナ１０３がそのデータを受信し、対応する無線周波数チャネル１０２を使用することによって、その受信されたデータをアクセス側ベースバンド受信モジュール１０４に送信する。同様に、バックホール側ベースバンド送信モジュール１０５が、バックホール側ベースバンド送信モジュール１０５に対応する無線周波数チャネル１０６を使用することによってバックホールアンテナ１０７にデータを送信し、したがって、バックホールアンテナ１０７がそのデータを端末装置に送信し、バックホールアンテナ１０７が、バックホールデータを受信し、その受信されたバックホールデータを、無線周波数チャネル１０６を使用することによってバックホール側ベースバンド受信モジュール１０８に送信する。
【０００４】
本発明の実施中、本発明者は、既存のソリューションが以下の問題を少なくとも有することを見出した。
【０００５】
アクセス側の無線周波数チャネルとバックホール側の無線周波数チャネルの両方が、同一の機能を実施することが可能であり、したがって、前述のシステムにおける無線周波数チャネルのリソース利用率が比較的低い。さらに、アクセス側およびバックホール側は、アクセス側およびバックホール側のそれぞれ独立した無線周波数チャネルを使用し、各無線周波数チャネルは、複数の構成要素を含むため、前述のシステムの開発費用が、比較的高い。
【発明の概要】
【発明が解決しようとする課題】
【０００６】
本発明では、改善されたバックホールデバイスおよびバックホールデバイス制御方法を提供する。
【課題を解決するための手段】
【０００７】
従来技術における低いリソース利用率および比較的高い開発費用の問題を解決するために、本発明の実施形態は、バックホールデバイスおよびバックホールデバイス制御方法を提供する。技術的ソリューションは、以下のとおりである。
【０００８】
第１の態様によれば、バックホールデバイスが提供され、このデバイスは、
アクセス側ベースバンド送信モジュールと、アクセス側バックホール受信モジュールと、バックホール側ベースバンド送信モジュールと、バックホール側ベースバンド受信モジュールと、無線周波数チャネルと、第１のスイッチモジュールと、第２のスイッチモジュールと、アクセスアンテナと、バックホールアンテナとを含み、
アクセス側ベースバンド送信モジュールとバックホール側ベースバンド送信モジュールは、無線周波数チャネルの１つの端部に別々に接続され、
アクセス側ベースバンド受信モジュールとバックホール側ベースバンド受信モジュールは、第１のスイッチモジュールの１つの端部に別々に接続され、第１のスイッチモジュールの別の端部は、無線周波数チャネルのその１つの端部に接続され、
第１のスイッチモジュールは、バックホールデバイスがアクセス状態にある場合、アクセス側ベースバンド受信モジュールと無線周波数チャネルのその１つの端部の間で接続された状態を維持するように構成され、
第１のスイッチモジュールは、バックホールデバイスがバックホール状態にある場合、バックホール側ベースバンド受信モジュールと無線周波数チャネルのその１つの端部の間で接続された状態を維持するようにさらに構成され、
第２のスイッチモジュールの１つの端部は、無線周波数チャネルの別の端部に接続され、第２のスイッチモジュールの別の端部は、アクセスアンテナおよびバックホールアンテナに別々に接続され、
第２のスイッチモジュールは、バックホールデバイスがアクセス状態にある場合、無線周波数チャネルのその別の端部とアクセスアンテナの間で接続された状態を維持するように構成され、
第２のスイッチモジュールは、バックホールデバイスがバックホール状態にある場合、無線周波数チャネルのその別の端部とバックホールアンテナの間で接続された状態を維持するようにさらに構成される。
【０００９】
第１の態様の第１の可能な実施様態において、
アクセス側ベースバンド送信モジュールとバックホール側ベースバンド送信モジュールは、第３のスイッチモジュールを使用することによって無線周波数チャネルのその１つの端部に別々に接続され、
第３のスイッチモジュールは、バックホールデバイスがアクセス状態にある場合、アクセス側ベースバンド送信モジュールと無線周波数チャネルのその１つの端部の間で接続された状態を維持するように構成され、
第３のスイッチモジュールは、バックホールデバイスがバックホール状態にある場合、バックホール側ベースバンド送信モジュールと無線周波数チャネルのその１つの端部の間で接続された状態を維持するようにさらに構成される。
【００１０】
第１の態様の第１の可能な実施様態の第１の態様を参照すると、第２の可能な実施様態において、デバイスは、第１のスイッチモジュールおよび第２のスイッチモジュールに接続された制御モジュールをさらに含み、バックホールデバイスが、第３のスイッチモジュールを含む場合、制御モジュールは、第３のスイッチモジュールにさらに接続され、
制御モジュールは、バックホールデバイスの状態を獲得するように構成され、
制御モジュールは、バックホールデバイスが、第１のスイッチモジュールと、第２のスイッチモジュールとを含む場合、その獲得された状態に応じて第１のスイッチモジュールおよび第２のスイッチモジュールを制御するようにさらに構成され、
制御モジュールは、バックホールデバイスが、第３のスイッチモジュールを含む場合、その獲得された状態に応じて第３のスイッチモジュールを制御するようにさらに構成される。
【００１１】
第１の態様の第２の可能な実施様態を参照して、第３の可能な実施様態において、
デバイスは、無線周波数チャネルに配置された第１のストレージモジュールをさらに含み、第１のストレージモジュールは、専用の線路を使用することによって制御モジュールに接続され、
第１のストレージモジュールは、異なる時点におけるバックホールデバイスの事前設定された状態を記憶するように構成され、
制御モジュールは、専用の線路を使用することによって第１のストレージモジュールからバックホールデバイスの状態を読み取るようにさらに構成される。
【００１２】
第１の態様の第２の可能な実施様態を参照して、第４の可能な実施様態において、
デバイスは、無線周波数チャネルに配置された第２のストレージモジュールをさらに含み、第２のストレージモジュールは、無線周波数チャネルのその別の端部と制御モジュールの間の線路を使用することによって制御モジュールに接続され、
第２のストレージモジュールは、異なる時点におけるバックホールデバイスの事前設定された状態を記憶するように構成され、
制御モジュールは、無線周波数チャネルのその別の端部と制御モジュールの間の線路を使用することによって第２のストレージモジュールからバックホールデバイスの状態を読み取るようにさらに構成される。
【００１３】
第１の態様、第１の態様の第１の可能な実施様態、第２の可能な実施様態、第３の可能な実施様態、または第４の可能な実施様態を参照して、第５の可能な実施様態において、無線周波数チャネルは、
送信機と、第１のスイッチモジュールに接続された受信機と、送信機および受信機に別々に接続されたサーキュレータと、サーキュレータに接続されたフィルタとを含み、フィルタの別の端部は、第２のスイッチモジュールに接続され、
バックホールデバイスは、第３のスイッチモジュールを含まず、送信機は、アクセス側ベースバンド送信モジュールおよびバックホール側ベースバンド送信モジュールに別々に接続され、
バックホールデバイスが、第３のスイッチモジュールを含む場合、送信機は、第３のスイッチモジュールに接続される。
【００１４】
第１の態様、第１の態様の第１の可能な実施様態、第２の可能な実施様態、第３の可能な実施様態、または第４の可能な実施様態を参照して、第６の可能な実施様態において、
２つ以上の無線周波数チャネルが存在する場合、各無線周波数チャネルは、アクセス側ベースバンド送信モジュール、アクセス側ベースバンド受信モジュール、バックホール側ベースバンド送信モジュール、およびバックホール側ベースバンド受信モジュールのグループに別々に対応し、
バックホールデバイスが、第１のストレージモジュールを含む場合、その２つ以上の無線周波数チャネルは、第１のストレージモジュールを共有し、
バックホールデバイスが、第２のストレージモジュールを含む場合、その２つ以上の無線周波数チャネルは、第２のストレージモジュールを共有する。
【００１５】
第２の態様によれば、バックホールデバイス制御方法が提供され、この方法は、第１の態様により、または第１の態様の可能な各実施様態によりバックホールデバイスに適用され、この方法は、
バックホールデバイスの状態を獲得すること、および
バックホールデバイスが、第１のスイッチモジュールと、第２のスイッチモジュールとを含む場合、その獲得された状態に応じて第１のスイッチモジュールおよび第２のスイッチモジュールを制御することを含み、
第１のスイッチモジュールは、バックホールデバイスがアクセス状態にある場合、アクセス側ベースバンド受信モジュールと無線周波数チャネルのその１つの端部の間で接続された状態を維持するように構成され、
第１のスイッチモジュールは、バックホールデバイスがバックホール状態にある場合、バックホール側ベースバンド受信モジュールと無線周波数チャネルのその１つの端部の間で接続された状態を維持するようにさらに構成され、
第２のスイッチモジュールは、バックホールデバイスがアクセス状態にある場合、無線周波数チャネルのその別の端部とアクセスアンテナの間で接続された状態を維持するように構成され、
第２のスイッチモジュールは、バックホールデバイスがバックホール状態にある場合、無線周波数チャネルのその別の端部とバックホールアンテナの間で接続された状態を維持するようにさらに構成される。
【００１６】
第２の態様の第１の可能な実施様態において、バックホールデバイスが、無線周波数チャネルとアクセス側ベースバンド送信モジュールとバックホールデバイスにおけるバックホール側ベースバンド送信モジュールとを接続するように構成された第３のスイッチモジュールをさらに含む場合、この方法は、
その獲得された状態に応じて第３のスイッチモジュールを制御することをさらに含み、
第３のスイッチモジュールは、バックホールデバイスがアクセス状態にある場合、アクセス側ベースバンド送信モジュールと無線周波数チャネルのその１つの端部の間で接続された状態を維持するように構成され、
第３のスイッチモジュールは、バックホールデバイスがバックホール状態にある場合、バックホール側ベースバンド送信モジュールと無線周波数チャネルのその１つの端部の間で接続された状態を維持するようにさらに構成される。
【００１７】
第２の態様、または第２の態様の第１の可能な実施様態を参照すると、第２の可能な実施様態において、バックホールデバイスの状態を獲得することは、
バックホールデバイスが、第１のストレージモジュールを含む場合、第１のストレージモジュールに接続された専用の線路を使用することによって第１のストレージモジュールからバックホールデバイスの状態を読み取ること、および
バックホールデバイスが、第２のストレージモジュールを含む場合、無線周波数チャネルのその別の端部に接続された線路を使用することによって第２のストレージモジュールからバックホールデバイスの状態を読み取ることを含む。
【００１８】
本発明の実施形態において提供される技術的ソリューションの有益な効果は、以下のとおりである。
【００１９】
スイッチモジュールが配置され、したがって、アクセス側とバックホール側が同一の無線周波数チャネルを共有することが可能である。したがって、従来技術における無線周波数チャネルの低いリソース利用率および比較的高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【図面の簡単な説明】
【００２０】
本発明の実施形態による技術的ソリューションをより明確に説明するために、以下に、それらの実施形態を説明するための添付の図面を簡単に説明する。明らかに、以下の説明における添付の図面は、本発明のいくつかの実施形態に過ぎず、当業者は、独創的な取組みなしに添付の図面から他の図面を導き出すことができる。
【００２１】
【図１】本発明の背景技術に含まれるバックホールデバイスを示す概略構造図である。
【図２】本発明の実施形態によるバックホールデバイスを示す構造ブロック図である。
【図３】本発明の別の実施形態によるバックホールデバイスを示す構造ブロック図である。
【図４】本発明のさらに別の実施形態によるバックホールデバイスを示す構造ブロック図である。
【図５】本発明のさらに別の実施形態によるバックホールデバイスを示す構造ブロック図である。
【図６】本発明のさらに別の実施形態によるバックホールデバイスを示す構造ブロック図である。
【図７】本発明のさらに別の実施形態によるバックホールデバイスを示す構造ブロック図である。
【図８】本発明のさらに別の実施形態によるバックホールデバイスを示す構造ブロック図である。
【図９】本発明の実施形態によるバックホールデバイス制御方法を示す方法流れ図である。
【図１０】本発明の別の実施形態によるバックホールデバイス制御方法を示す方法流れ図である。
【発明を実施するための形態】
【００２２】
本発明の目的、技術的ソリューション、および利点をより明確にするために、以下に、本発明を、添付の図面を参照してさらに詳細に説明する。明らかに、説明される実施形態は、本発明の実施形態のすべてではなく、一部分に過ぎない。独創的な取組みなしに本発明の実施形態に基づいて当業者によって得られる他のすべての実施形態は、本発明の保護範囲に含まれるものとする。
【００２３】
図２を参照すると、図２は、本発明の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイス（ＡＢ  ＢＴＳ）は、アクセス側ベースバンド送信モジュール２０１と、アクセス側ベースバンド受信モジュール２０２と、バックホール側ベースバンド送信モジュール２０３と、バックホール側ベースバンド受信モジュール２０４と、無線周波数チャネル２０５と、第１のスイッチモジュール２０６と、第２のスイッチモジュール２０７と、アクセスアンテナ２０８と、バックホールアンテナ２０９とを含む。
【００２４】
アクセス側ベースバンド送信モジュール２０１とバックホール側ベースバンド送信モジュール２０３は、無線周波数チャネル２０５の１つの端部に別々に接続される。
【００２５】
アクセス側ベースバンド受信モジュール２０２とバックホール側ベースバンド受信モジュール２０４は、第１のスイッチモジュール２０６の１つの端部に別々に接続され、第１のスイッチモジュール２０６の別の端部が、無線周波数チャネル２０５のその１つの端部に接続される。
【００２６】
第１のスイッチモジュール２０６は、バックホールデバイスがアクセス状態にある場合、アクセス側ベースバンド受信モジュール２０２と無線周波数チャネル２０５のその１つの端部の間で接続された状態を維持するように構成される。
【００２７】
第１のスイッチモジュール２０６は、バックホールデバイスがバックホール状態にある場合、バックホール側ベースバンド受信モジュール２０４と無線周波数チャネル２０５のその１つの端部の間で接続された状態を維持するようにさらに構成される。
【００２８】
第２のスイッチモジュール２０７の１つの端部は、無線周波数チャネル２０５の別の端部に接続され、第２のスイッチモジュール２０７の別の端部は、アクセスアンテナ２０８およびバックホールアンテナ２０９に別々に接続される。
【００２９】
第２のスイッチモジュール２０７は、バックホールデバイスがアクセス状態にある場合、無線周波数チャネル２０５の別の端部とアクセスアンテナ２０８の間で接続された状態を維持するように構成される。
【００３０】
第２のスイッチモジュール２０７は、バックホールデバイスがバックホール状態にある場合、無線周波数チャネル２０５のその別の端部とバックホールアンテナ２０９の間で接続された状態を維持するようにさらに構成される。
【００３１】
結論として、この実施形態において提供されるバックホールデバイスによれば、スイッチモジュールが配置され、したがって、アクセス側とバックホール側が、同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００３２】
図３を参照すると、図３は、本発明の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイスは、アクセス側ベースバンド送信モジュール３０１と、アクセス側ベースバンド受信モジュール３０２と、バックホール側ベースバンド送信モジュール３０３と、バックホール側ベースバンド受信モジュール３０４と、無線周波数チャネル３０５と、第１のスイッチモジュール３０６と、第２のスイッチモジュール３０７と、アクセスアンテナ３０８と、バックホールアンテナ３０９とを含む。
【００３３】
アクセス側ベースバンド送信モジュール３０１とバックホール側ベースバンド送信モジュール３０３は、無線周波数チャネル３０５の１つの端部に別々に接続される。
【００３４】
アクセス側ベースバンド受信モジュール３０２とバックホール側ベースバンド受信モジュール３０４は、第１のスイッチモジュール３０６の１つの端部に別々に接続され、第１のスイッチモジュール３０６の別の端部が、無線周波数チャネル３０５のその１つの端部に接続される。
【００３５】
第１のスイッチモジュール３０６は、バックホールデバイスがアクセス状態にある場合、アクセス側ベースバンド受信モジュール３０２と無線周波数チャネル３０５のその１つの端部の間で接続された状態を維持するように構成される。
【００３６】
特に、バックホールデバイスが、ブロードキャスト情報をリアルタイムで送信することができるため、端末装置が起動されると、バックホールデバイスが、そのブロードキャスト情報を使用することによって、アクセスをいつ実行すべきか、およびバックホールをいつ実行すべきかについて端末装置とネゴシエートし、そのネゴシエーションが完了された後、バックホールデバイスと端末装置の両方が、ネゴシエートされた時点でアクセスおよびバックホールを実行する。アクセス時点が到来すると、バックホールデバイスは、アクセス状態にあり、バックホールデバイスがアクセス状態にある場合、２つの事例が存在し、１つの事例は、アクセス側ベースバンド送信モジュール３０１が、無線周波数チャネル３０５およびアクセスアンテナ３０８を使用することによって外部にデータを送信することであり、他方の事例は、アクセス側ベースバンド受信モジュール３０２が、アクセスアンテナ３０８によって受信され、無線周波数チャネル３０５を使用することによって送信されるデータを受信することである。したがって、バックホールデバイスがアクセス状態にある場合、第１のスイッチモジュール３０６は、アクセス側ベースバンド受信モジュール３０２と無線周波数チャネル３０５のその１つの端部の間で接続された状態を維持する。
【００３７】
第１のスイッチモジュール３０６は、バックホールデバイスがバックホール状態にある場合、バックホール側ベースバンド受信モジュール３０４と無線周波数チャネル３０５のその１つの端部の間で接続された状態を維持するようにさらに構成される。
【００３８】
バックホールデバイスがアクセス状態にある事例と同様に、バックホールデバイスがバックホール状態にある場合、やはり２つの事例が存在し、１つの事例は、バックホール側ベースバンド送信モジュール３０３が、無線周波数チャネル３０５およびバックホールアンテナ３０９を使用することによって外部にデータを送信することであり、他方の事例は、バックホール側ベースバンド受信モジュール３０４が、バックホールアンテナ３０９によって受信され、無線周波数チャネル３０５を使用することによって送信されるデータを受信することである。したがって、バックホールデバイスがバックホール状態にある場合、第１のスイッチモジュール３０６は、バックホール側ベースバンド受信モジュール３０４と無線周波数チャネル３０５のその１つの端部の間で接続された状態を維持する。
【００３９】
第２のスイッチモジュール３０７の１つの端部は、無線周波数チャネル３０５の別の端部に接続され、第２のスイッチモジュール３０７の別の端部は、アクセスアンテナ３０８およびバックホールアンテナ３０９に別々に接続される。
【００４０】
特に、アクセスアンテナ３０８およびバックホールアンテナ３０９はそれぞれ、２つのピンを有するため、第２のスイッチモジュール３０７がアクセスアンテナ３０８およびバックホールアンテナ３０９に接続されることが可能であるために、第２のスイッチモジュール３０７のその別の端部が、４つのポートを有し、その４つのポートは、アクセスアンテナ３０８およびバックホールアンテナ３０９のピンにそれぞれ接続される。もちろん、実際の実施中、複数のポートが、この実施形態において限定されない、異なる使用要件に応じて第２のスイッチモジュール３０７のその別の端部上にさらに配置される。
【００４１】
第２のスイッチモジュール３０７は、バックホールデバイスがアクセス状態にある場合、無線周波数チャネル３０５のその別の端部とアクセスアンテナ３０８の間で接続された状態を維持するように構成される。
【００４２】
バックホールデバイスがアクセス状態にある場合、無線周波数チャネル３０５は、アクセスアンテナ３０８とデータを交換する必要がある。したがって、この事例において、第２のスイッチモジュール３０７は、無線周波数チャネル３０５のその別の端部とアクセスアンテナ３０８の間で接続された状態を維持する。
【００４３】
第２のスイッチモジュール３０７は、バックホールデバイスがバックホール状態にある場合、無線周波数チャネル３０５のその別の端部とバックホールアンテナ３０９の間で接続された状態を維持するようにさらに構成される。
【００４４】
しかし、バックホールデバイスがバックホール状態にある場合、無線周波数チャネル３０５は、バックホールアンテナ３０９とデータを交換する必要がある。したがって、この事例において、第２のスイッチモジュール３０７は、無線周波数チャネル３０５のその別の端部とバックホールアンテナ３０９の間で接続された状態を維持する。
【００４５】
この実施形態において、無線周波数チャネル３０５は、特に、
送信機（ＴＸ）３０５ａと、第１のスイッチモジュール３０６に接続された受信機（ＲＸ）３０５ｂと、送信機３０５ａおよび受信機３０５ｂに別々に接続されたサーキュレータ３０５ｃと、サーキュレータ３０５ｃに接続されたフィルタ３０５ｄとを含み、フィルタ３０５ｄの別の端部が、第２のスイッチモジュール３０７に接続されることに留意されたい。
【００４６】
送信機３０５ａは、アクセス側ベースバンド送信モジュール３０１およびバックホール側ベースバンド送信モジュール３０３に別々に接続される。
【００４７】
結論として、この実施形態において提供されるバックホールデバイスによれば、スイッチモジュールが配置され、したがって、アクセス側とバックホール側が同一の無線周波数チャネルを共有することが可能である。したがって、従来技術における無線周波数の低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００４８】
この実施形態は、無線周波数チャネルの特定の構成を限定し、バックホールデバイスの特定の構造をさらに明確にする。
【００４９】
図４を参照すると、図４は、本発明の別の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイスは、アクセス側ベースバンド送信モジュール４０１と、アクセス側ベースバンド受信モジュール４０２と、バックホール側ベースバンド送信モジュール４０３と、バックホール側ベースバンド受信モジュール４０４と、無線周波数チャネル４０５と、第１のスイッチモジュール４０６と、第２のスイッチモジュール４０７と、アクセスアンテナ４０８と、バックホールアンテナ４０９とを含む。このバックホールデバイスは、この実施形態において、アクセス側ベースバンド送信モジュール４０１とバックホール側ベースバンド送信モジュール４０３が、第３のスイッチモジュール４１０を使用することによって無線周波数チャネル４０５の１つの端部に別々に接続されるという点で、図３に示されるバックホールデバイスとは異なる。
【００５０】
第３のスイッチモジュール４１０は、バックホールデバイスがアクセス状態にある場合、アクセス側ベースバンド送信モジュール４０１と無線周波数チャネル４０５のその１つの端部の間で接続された状態を維持するように構成される。
【００５１】
特に、バックホールデバイスがアクセス状態にある場合、１つの事例は、アクセス側ベースバンド送信モジュール４０１が無線周波数チャネル４０５にデータを送信して、無線周波数チャネル４０５が、受信されたベースバンドデータに対して周波数変換を実行し、その後、そのデータをアクセスアンテナ４０８に送信し、そのデータを外部端末装置にさらに送信するようにすることである。したがって、バックホールデバイスがアクセス状態にある場合、第３のスイッチモジュール４１０は、アクセス側ベースバンド送信モジュール４０１と無線周波数チャネル４０５のその１つの端部の間で接続された状態を維持する。
【００５２】
第３のスイッチモジュール４１０は、バックホールデバイスがバックホール状態にある場合、バックホール側ベースバンド送信モジュール４０３と無線周波数チャネル４０５のその１つの端部の間で接続された状態を維持するようにさらに構成される。
【００５３】
特に、バックホールデバイスがバックホール状態にある場合、１つの事例は、バックホール側ベースバンド送信モジュール４０３が無線周波数チャネル４０５にベースバンドデータを送信して、無線周波数チャネル４０５が、受信されたベースバンドデータに対して周波数変換を実行し、その後、そのデータをバックホールアンテナ４０９に送信し、そのデータを外部端末装置にさらに送信するようにすることである。したがって、バックホールデバイスがバックホール状態にある場合、第３のスイッチモジュール４１０が、バックホール側ベースバンド送信モジュール４０３と無線周波数チャネル４０５のその１つの端部の間で接続状態を維持する。
【００５４】
図３に示される実施形態と同様に、この実施形態において、無線周波数チャネル４０５は
送信機４０５ａと、第１のスイッチモジュール４０４に接続された受信機４０５ｂと、送信機４０５ａおよび受信機４０５ｂに別々に接続されたサーキュレータ４０５ｃと、サーキュレータ４０５ｃに接続されたフィルタ４０５ｄとをやはり含み、フィルタ４０５ｄの別の端部が、第２のスイッチモジュール４０７に接続される。
【００５５】
しかし、この実施形態において、バックホールデバイスは、第３のスイッチモジュール４１０をさらに含むため、実際の実施中、送信機４０５ａは、第３のスイッチモジュール４１０に接続される。
【００５６】
特に、バックホールデバイスが、第３のスイッチモジュール４１０を含む場合、アクセス側ベースバンド送信モジュール４０１およびバックホール側ベースバンド送信モジュール４０３は、第３のスイッチモジュール４１０を使用することによって無線周波数チャネル４０５に接続される。したがって、この事例において、無線周波数チャネル４０５における送信機４０５ａは、第３のスイッチモジュール４１０に接続される。詳細に関しては、図４を参照されたい。
【００５７】
結論として、この実施形態において提供されるバックホールデバイスによれば、スイッチモジュールが配置され、したがって、アクセス側とバックホール側が同一の無線周波数チャネルを共有することが可能である。したがって、従来技術における無線周波数の低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００５８】
この実施形態において、アクセス側ベースバンド送信モジュールおよびバックホール側ベースバンド送信モジュールは、第３のスイッチモジュールを使用することによって無線周波数チャネルに接続され、したがって、バックホールデバイスがアクセス状態にある場合、アクセス側ベースバンド送信モジュールだけが無線周波数チャネルに接続され、バックホールデバイスがバックホール状態にある場合、バックホール側ベースバンド送信モジュールだけが無線周波数チャネルに接続される。
【００５９】
図５を参照すると、図５は、本発明のさらに別の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイスは、アクセス側ベースバンド送信モジュール５０１と、アクセス側ベースバンド受信モジュール５０２と、バックホール側ベースバンド送信モジュール５０３と、バックホール側ベースバンド受信モジュール５０４と、無線周波数チャネル５０５と、第１のスイッチモジュール５０６と、第２のスイッチモジュール５０７と、アクセスアンテナ５０８と、バックホールアンテナ５０９とを含む。バックホールデバイスにおけるモジュールは、前述の実施形態のそれぞれにおける接続様態で接続され、前述の実施形態のそれぞれにおける同一のモジュールによって実施されることが可能な機能を実施し、前述の実施形態のそれぞれにおけるバックホールデバイスとの唯一の違いは、この実施形態において、バックホールデバイスが、第１のスイッチモジュール５０６および第２のスイッチモジュール５０７に接続された制御モジュール５１１をさらに含むことだけである。さらに、バックホールデバイスが、第３のスイッチモジュール５１０を含む場合、制御モジュール５１１は、第３のスイッチモジュール５１０にさらに接続される。詳細に関しては、図５を参照されたい。
【００６０】
制御モジュール５１１は、バックホールデバイスの状態を獲得するように構成される。
【００６１】
特に、バックホールデバイスの現在の状態を知るのに、バックホールデバイスは、制御モジュール５１１をさらに含み、制御モジュール５１１は、バックホールデバイスの状態を獲得するように構成される。
【００６２】
制御モジュール５１１は、バックホールデバイスが、第１のスイッチモジュール５０６と、第２のスイッチモジュール５０７とを含む場合、その獲得された状態に応じて第１のスイッチモジュール５０６および第２のスイッチモジュール５０７を制御するようにさらに構成される。
【００６３】
第１のスイッチモジュール５０６と第２のスイッチモジュール５０７の両方が、バックホールデバイスの異なる状態に応じて異なる接続ステータスを有するため、制御モジュール５１１がバックホールデバイスの状態を獲得した後、制御モジュール５１１は、その獲得された状態に応じて第１のスイッチモジュール５０６および第２のスイッチモジュール５０７を制御するようにさらに構成される。
【００６４】
制御モジュール５１１は、バックホールデバイスが、第３のスイッチモジュール５１０を含む場合、その獲得された状態に応じて第３のスイッチモジュール５１０を制御するようにさらに構成される。
【００６５】
同様に、バックホールデバイスが第３のスイッチモジュール５１０をさらに含む場合、第３のスイッチモジュール５１０もやはり、バックホールデバイスの異なる状態に応じて異なる接続ステータスを有するため、制御モジュール５１１は、バックホールデバイスが、第３のスイッチモジュール５１０を含む場合、その獲得された状態に応じて第３のスイッチモジュール５１０を制御するようにさらに構成される。
【００６６】
この実施形態において開示される図５は、バックホールデバイスがスイッチモジュール５１０を含む事例を例として使用することによって説明されることに留意されたい。実際の実施中、バックホールデバイスが第３のスイッチモジュール５１０を含まない場合、バックホールデバイスの特定の構造ブロック図は、図５におけるアクセス側ベースバンド送信モジュール５０１およびバックホール側ベースバンド送信モジュール５０３が送信器５０５ａに直接に接続されることを除いて、図５と同様である。この実施形態において詳細が再び説明されることはない。
【００６７】
結論として、この実施形態において提供されるバックホールデバイスによれば、スイッチモジュールが配置され、したがって、アクセス側とバックホール側が、同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００６８】
この実施形態において、制御モジュールは、バックホールデバイスの状態を獲得して、その獲得された状態に応じてデバイスにおける各スイッチモジュールを制御する効果を実現する。
【００６９】
図６を参照すると、図６は、本発明のさらに別の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイスは、アクセス側ベースバンド送信モジュール６０１と、アクセス側ベースバンド受信モジュール６０２と、バックホール側ベースバンド送信モジュール６０３と、バックホール側ベースバンド受信モジュール６０４と、無線周波数チャネル６０５と、第１のスイッチモジュール６０６と、第２のスイッチモジュール６０７と、アクセスアンテナ６０８と、バックホールアンテナ６０９とを含む。さらに、この実施形態において、バックホールデバイスは、第３のスイッチモジュール６１０をさらに含み、もちろん、実際の実施中、バックホールデバイスは、第３のスイッチモジュール６１０を含まない。この実施形態において、バックホールデバイスが第３のスイッチモジュール６１０を含む例が使用される。さらに、図５に示されるバックホールデバイスと同じく、この実施形態におけるバックホールデバイスは、制御モジュール６１１をさらに含む一方で、この実施形態において、バックホールデバイスが、無線周波数チャネル６０５に配置された第１のストレージモジュール６１２をさらに含み、第１のストレージモジュール６１２は、専用の線路を使用することによって制御モジュール６１１に接続されるという点で、このバックホールデバイスは、図５に示されるバックホールデバイスとは異なる。
【００７０】
第１のストレージモジュール６１２は、異なる時点でバックホールデバイスの事前設定された状態を記憶するように構成される。
【００７１】
特に、バックホールデバイスは、端末装置が電源投入されると、異なる時点で状態について端末装置とネゴシエートするため、ネゴシエートされた状態をその後に使用する便宜のため、バックホールデバイスは、無線周波数チャネル６０５に配置された第１のストレージモジュール６１２をさらに含み、第１のストレージモジュール６１２は、異なる時点におけるバックホールデバイスの事前にネゴシエートされた状態を記憶するように構成される。
【００７２】
制御モジュール６１１は、専用の線路を使用することによって第１のストレージモジュール６１２からバックホールデバイスの状態を読み取るようにさらに構成される。
【００７３】
したがって、第１のストレージモジュール６１２が、バックホールデバイスの状態を記憶し、第１のストレージモジュール６１２は、専用の線路を使用することによって制御モジュール６１１に接続されるため、制御モジュール６１１は、専用の線路を使用することによって第１のストレージモジュール６１２からバックホールデバイスの状態を読み取る。例えば、第１のストレージモジュール６１２の中で、高いレベル「１」がアクセス状態を表すのに使用され、低いレベル「０」がバックホール状態を表すのに使用される場合、制御モジュール６１１が高いレベルを読み取ると、制御モジュール６１１は、バックホールデバイスがこの時点でアクセス状態にあることを知り、制御モジュール６１１が低いレベルを読み取ると、制御モジュール６１１は、バックホールデバイスがこの時点でバックホール状態にあることを知る。この実施形態において、前述の方法を使用することによってバックホールデバイスの状態を表すことは、単に例として使用され、実際の実施中、２つの状態を区別するために使用される任意の方法が、状態を識別するために使用されてもよい。この実施形態において詳細が再び説明されることはない。
【００７４】
この実施形態において開示される図６は、バックホールデバイスが第３のスイッチモジュール６１０を含む事例であることに留意されたい。実際の実施中、バックホールデバイスが第３のスイッチモジュール６１０を含まない場合、バックホールデバイスの特定の構造ブロック図は、図６におけるアクセス側ベースバンド送信モジュール６０１およびバックホール側ベースバンド送信モジュール６０３が送信機６０５ａに直接に接続されることを除いて、図６と同様である。したがって、この実施形態において詳細が再び説明されることはない。
【００７５】
結論として、この実施形態において提供されるバックホールデバイスによれば、スイッチモジュールが配置され、したがって、アクセス側とバックホール側が同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００７６】
この実施形態において、バックホールデバイスの状態は、無線周波数チャネルに配置された第１のストレージモジュールの中に記憶され、したがって、バックホールデバイスにおける制御モジュールが、第１のストレージモジュールからその状態を獲得し、その獲得された状態に応じてバックホールデバイスにおける各スイッチモジュールをさらに制御することが可能である。
【００７７】
図７を参照すると、図７は、本発明のさらに別の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイスは、アクセス側ベースバンド送信モジュール７０１と、アクセス側ベースバンド受信モジュール７０２と、バックホール側ベースバンド送信モジュール７０３と、バックホール側ベースバンド受信モジュール７０４と、無線周波数チャネル７０５と、第１のスイッチモジュール７０６と、第２のスイッチモジュール７０７と、アクセスアンテナ７０８と、バックホールアンテナ７０９とを含む。さらに、この実施形態において、バックホールデバイスは、第３のスイッチモジュール７１０をさらに含み、もちろん、実際の実施中、バックホールデバイスは、第３のスイッチモジュール７１０を含まなくてもよい。この実施形態において、バックホールデバイスが第３のスイッチモジュール７１０を含む例が使用される。さらに、この実施形態におけるバックホールデバイスは、制御モジュール７１１をさらに含み、このバックホールデバイスは、図６に示される実施形態において、第１のストレージモジュール６１２の中にバックホールデバイスの状態を記憶することが例として使用されるのに対して、この実施形態においては、バックホールデバイスの状態は、第２のストレージモジュール７１２の中にさらに記憶されるという点で、図６に示されるバックホールデバイスとは異なる。特に、バックホールデバイスは、無線周波数チャネル７０５に配置された第２のストレージモジュール７１２をさらに含み、第２のストレージモジュール７１２は、無線周波数チャネル７０５の別の端部と制御モジュール７１１の間の線路を使用することによって制御モジュール７１１に接続される。この実施形態において、バックホールデバイスが第３のスイッチモジュール７１０を含む例が使用され、バックホールデバイスの構造ブロック図に関しては、図７を参照されたい。
【００７８】
特に、図６に示される実施形態とは異なり、前述の実施形態において、バックホールデバイスの状態を記憶するように構成された第１のストレージモジュール６１２は、専用の線路を使用することによって制御モジュール６１１に接続され、制御モジュール６１１は、無線周波数チャネル６０５に接続される必要があるため、この実施形態において、制御モジュール７１１と第２のストレージモジュール７１２の間の接続線路を節約するために、第２のストレージモジュール７１２は、無線周波数チャネル７０５のその別の端部と制御モジュール７１１の間の線路を使用することによって制御モジュール７１１に接続される。実際の実施中、第２のストレージモジュール７１２は、インダクタを使用することによって無線周波数チャネル７０５のその別の端部に結合され、そのことの特定の実施様態は、この実施形態において限定されない。
【００７９】
第２のストレージモジュール７１２は、異なる時点においてバックホールデバイスの事前設定された状態を記憶するように構成される。
【００８０】
特に、バックホールデバイスは、端末装置が電源投入されると、異なる時点で状態について端末装置とネゴシエートするため、ネゴシエートされた状態をその後に使用する便宜のため、バックホールデバイスは、無線周波数チャネル７０５に配置された第２のストレージモジュール７１２をさらに含み、第２のストレージモジュール７１２は、異なる時点におけるバックホールデバイスの事前にネゴシエートされた状態を記憶するように構成される。
【００８１】
制御モジュール７１１は、無線周波数チャネル７０５のその別の端部と制御モジュール７１１の間の線路を使用することによって第２のストレージモジュール７１２からバックホールデバイスの状態を読み取るようにさらに構成される。
【００８２】
したがって、第２のストレージモジュール７１２が、バックホールデバイスの状態を記憶し、第２のストレージモジュール７１２は、無線周波数チャネル７０５のその別の端部と制御モジュール７１１の間の線路を使用することによって制御モジュール７１１に接続されるため、制御モジュール７１１は、無線周波数チャネル７０５のその別の端部と制御モジュール７１１の間の線路を使用することによって第２のストレージモジュール７１２からバックホールデバイスの状態を読み取る。
【００８３】
この実施形態において開示される図７は、バックホールデバイスが第３のスイッチモジュール７１０を含む事例であることに留意されたい。実際の実施中、バックホールデバイスが第３のスイッチモジュール７１０を含まない場合、バックホールデバイスの特定の構造ブロック図は、図７におけるアクセス側ベースバンド送信モジュール７０１およびバックホール側ベースバンド送信モジュール７０３が送信機７０５ａに直接に接続されることを除いて、図７と同様である。したがって、この実施形態において詳細が再び説明されることはない。
【００８４】
結論として、この実施形態において提供されるバックホールデバイスによれば、スイッチモジュールが配置され、したがって、アクセス側とバックホール側が同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００８５】
この実施形態において、バックホールデバイスの状態は、無線周波数チャネルに配置された第２のストレージモジュールの中に記憶され、したがって、バックホールデバイスにおける制御モジュールが、第２のストレージモジュールからその状態を獲得し、その獲得された状態に応じてバックホールデバイスにおける各スイッチモジュールをさらに制御することが可能である。さらに、この実施形態において、バックホールデバイスの状態が記憶される第２のストレージモジュールの出力端部が、無線周波数チャネルに結合され、このことが、バックホールデバイスにおいて要求される接続を減らし、バックホールデバイスをさらに簡略化する。
【００８６】
図８を参照すると、図８は、本発明のさらに別の実施形態によるバックホールデバイスの構造ブロック図を示す。バックホールデバイスは、モバイル通信システムに適用される、または固定無線アクセスシステム、無線データ伝送システム、およびレーダシステムなどのシステムに適用される。バックホールデバイスは、アクセス側ベースバンド送信モジュール８０１と、アクセス側ベースバンド受信モジュール８０２と、バックホール側ベースバンド送信モジュール８０３と、バックホール側ベースバンド受信モジュール８０４と、無線周波数チャネル８０５と、第１のスイッチモジュール８０６と、第２のスイッチモジュール８０７と、アクセスアンテナ８０８と、バックホールアンテナ８０９とを含む。さらに、この実施形態において、バックホールデバイスは、第３のスイッチモジュール８１０をさらに含み、もちろん、実際の実施中、バックホールデバイスは、第３のスイッチモジュール８１０を含まなくてもよい。この実施形態において、バックホールデバイスが第３のスイッチモジュール８１０を含む例が使用される。さらに、この実施形態におけるバックホールデバイスは、制御モジュール８１１をさらに含み、このバックホールデバイスは、この実施形態において、２つ以上の無線周波数チャネル８０５が存在し、各無線周波数チャネル８０５が、アクセス側ベースバンド送信モジュール８０１、アクセス側ベースバンド受信モジュール８０２、バックホール側ベースバンド送信モジュール８０３、およびバックホール側ベースバンド受信モジュール８０４のグループに別々に対応するという点で、前述の実施形態のそれぞれにおいて開示されるバックホールデバイスとは異なる。
【００８７】
バックホールデバイスが、第１のストレージモジュール８１２を含む場合、２つ以上の無線周波数チャネル８０５は、第１のストレージモジュール８１２を共有する。
【００８８】
特に、バックホールデバイスは、２つ以上の無線周波数チャネル８０５を含み、各周波数チャネル８０５は、アクセス側ベースバンド送信モジュール８０１、アクセス側ベースバンド受信モジュール８０２、バックホール側ベースバンド送信モジュール８０３、およびバックホール側ベースバンド受信モジュール８０４のグループに別々に対応する。すべてのグループは、同一の構造を有し、モジュールのすべてのグループと無線周波数チャネル８０５もまた、同一の接続構造を有する。しかし、バックホールデバイスの状態は、一意に決定されるため、バックホールデバイスが、第１のストレージモジュール８１２を含む場合、バックホールデバイスにおける構成要素の数量、および後の期間のメンテナンス費用を低減するために、バックホールデバイスにおける２つ以上の無線周波数チャネル８０５は、第１のストレージモジュール８１２を共有し、このことは、この実施形態において限定されない。モジュールの各グループが、アクセスアンテナ８０８およびバックホールアンテナ８０９に接続する１つの第２のスイッチモジュール８０７に別々に対応する。さらに、デバイスにおける構成要素の数量を低減し、第２のスイッチモジュール８０７のリソース利用率を向上させ、メンテナンス複雑度を低減するために、モジュールのグループに対応する無線周波数チャネル８０５が、１つの第２のスイッチモジュール８０７を共有し、この実施形態において詳細が再び説明されることはない。例えば、バックホールデバイスは、モジュールの２つのグループを含み、バックホールデバイスは、第３のスイッチモジュール８１０を含む。それらの特定の接続構造の概略図に関しては、図８が参照され、この実施形態において詳細が再び説明されることはない。
【００８９】
同様に、バックホールデバイスが、第２のストレージモジュールを含む場合、２つ以上の無線周波数チャネルは、第２のストレージモジュールを共有し、このことは、第２のストレージモジュールと制御モジュールの間の接続様態が、第１のストレージモジュールと制御モジュールの間の接続様態とは異なるということを除いて、バックホールデバイスが第１のストレージモジュール８１２を含む事例と同様であり、この実施形態において詳細が再び説明されることはない。
【００９０】
図６に示されるバックホールデバイスが２つ以上の無線周波数チャネルを含む例だけが、この実施形態において使用されることに留意されたい。実際の実施中、図２、図３、図４、図５、および図７のいずれか１つに示されるバックホールデバイスもやはり、２つ以上の無線周波数チャネルを同時に含む。当業者は、図６および図８により、２つ以上の無線周波数チャネル８０５を含み、図２、図３、図４、図５、および図７のそれぞれに対応する構造ブロック図を容易に得ることも可能であり、この実施形態において詳細が１つずつ再び説明されることはない。
【００９１】
結論として、この実施形態において提供されるバックホールデバイスによれば、スイッチモジュールが配置され、したがって、アクセス側とバックホール側が、同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【００９２】
この実施形態におけるバックホールデバイスは、２つ以上の無線周波数チャネルを含み、その結果、バックホールデバイスの動作パフォーマンスを向上させる。
【００９３】
実際の実施中、制御モジュールより前のモジュールは、１つのデバイスとして特に実施される一方で、制御モジュール、第２のスイッチモジュール、アクセスアンテナ、およびバックホールアンテナは、別々に実施され、それらの特定の実施形態は、この実施形態において限定されないことに留意されたい。
【００９４】
さらに、前述の実施形態に含まれる各モジュールは、ソフトウェア、ハードウェア、またはこれらの組合せを使用することによって実施され、モジュールの特定の実施形態は、この実施形態において限定されない。
【００９５】
図９を参照すると、図９は、本発明の実施形態によるバックホールデバイス制御方法の方法流れ図を示す。バックホールデバイス制御方法は、前述の実施形態のそれぞれにおいて提供されるバックホールデバイスを制御するために使用され、この制御方法は、以下のステップを含む。
【００９６】
ステップ９０１：バックホールデバイスの状態を獲得する。
【００９７】
ステップ９０２：バックホールデバイスが、第１のスイッチモジュールと、第２のスイッチモジュールとを含む場合、その獲得された状態に応じて第１のスイッチモジュールおよび第２のスイッチモジュールを制御し、
第１のスイッチモジュールは、バックホールデバイスがアクセス状態にある場合、アクセス側ベースバンド受信モジュールと無線周波数チャネルの１つの端部の間で接続された状態を維持するように構成され、
第１のスイッチモジュールは、バックホールデバイスがバックホール状態にある場合、バックホール側ベースバンド受信モジュールと無線周波数チャネルのその１つの端部の間で接続された状態を維持するように構成され、
第２のスイッチモジュールは、バックホールデバイスがアクセス状態にある場合、無線周波数チャネルの別の端部とアクセスアンテナの間で接続された状態を維持するように構成され、
第２のスイッチモジュールは、バックホールデバイスがバックホール状態にある場合、無線周波数チャネルのその別の端部とバックホールアンテナの間で接続された状態を維持するように構成される。
【００９８】
結論として、この実施形態において提供されるバックホールデバイス制御方法によれば、スイッチモジュールが配置され、したがって、アクセス側とバックホール側が、同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数が共有され、このことが、システムに要求される構成要素の数量、およびシステムの開発費用を低減する。さらに、この実施形態において、スイッチモジュールが配置され、したがって、アクセス側とバックホール側が、ベースバンド送信モジュールおよびベースバンド受信モジュールを共有することが可能であり、あのアクセス側とバックホール側の間の自由なデータ交換の効果を実現する。
【００９９】
図１０を参照すると、図１０は、本発明の別の実施形態によるバックホールデバイス制御方法の方法流れ図を示す。バックホールデバイス制御方法は、前述の実施形態のそれぞれにおいて提供されるバックホールデバイスを制御するために使用され、制御方法は、以下のステップを含む。
【０１００】
ステップ１０１０：バックホールデバイスの状態を獲得する。
【０１０１】
バックホールデバイスは、それ自らの状態を獲得する。特に、それは、バックホールデバイスが、制御モジュールを使用することによってバックホールデバイスの状態を獲得する前述の実施形態において開示されるバックホールデバイスの特定の構造に応じて知られることが可能である。さらに、実際の実施中、バックホールデバイスにおいて、バックホールデバイスの状態を記憶するストレージモジュールは、異なる様態で制御モジュールに接続され、接続様態が異なる場合、バックホールデバイスの状態を獲得するために制御モジュールによって使用される方法も異なる。したがって、バックホールデバイスの状態を記憶するストレージモジュールと制御モジュールの間の接続様態に応じて、バックホールデバイスの状態を獲得するために制御モジュールによって使用される方法は、以下の様態のうちの少なくとも１つを含む。
【０１０２】
第１に、バックホールデバイスが、第１のストレージモジュールを含む場合、バックホールデバイスの状態は、第１のストレージモジュールに接続された専用の線路を使用することによって第１のストレージモジュールから読み取られる。
【０１０３】
第１の可能な実施様態において、バックホールデバイスが、第１のストレージモジュールを含む場合、第１のストレージモジュールは、専用の線路を使用することによって制御モジュールに接続され、異なる時点におけるバックホールデバイスの状態が第１のストレージモジュールの中に記憶されるため、制御モジュールは、第１のストレージモジュールに接続された専用の線路を使用することによって第１のストレージモジュールからバックホールデバイスの状態を読み取る。
【０１０４】
第２に、バックホールデバイスが、第２のストレージモジュールを含む場合、バックホールデバイスの状態は、無線周波数チャネルの別の端部に接続された線路を使用することによって第２のストレージモジュールから読み取られる。
【０１０５】
第２の可能な実施様態において、バックホールデバイスが、第２のストレージモジュールを含む場合、第２のストレージモジュールは、無線周波数チャネルのその別の端部と制御モジュールの間の線路を使用することによって制御モジュールに接続され、異なる時点におけるバックホールデバイスの状態が第２のストレージモジュールの中に記憶されるため、制御モジュールは、無線周波数チャネルのその別の端部に接続された線路を使用することによって第２のストレージモジュールからバックホールデバイスの状態を読み取る。
【０１０６】
ステップ１０２０：バックホールデバイスが、第１のスイッチモジュールと、第２のスイッチモジュールとを含む場合、その獲得された状態に応じて第１のスイッチモジュールおよび第２のスイッチモジュールを制御する。
【０１０７】
第１のスイッチモジュールと第２のスイッチモジュールの両方の接続ステータスがバックホールデバイスの状態と関係するため、制御モジュールがバックホールデバイスの状態を獲得した後、制御モジュールは、その獲得された状態に応じて第１のスイッチモジュールおよび第２のスイッチモジュールを制御することが可能である。
【０１０８】
第１のスイッチモジュールは、バックホールデバイスがアクセス状態にある場合、アクセス側ベースバンド受信モジュールと無線周波数チャネルの１つの端部の間で接続された状態を維持するように構成され、
第１のスイッチモジュールは、バックホールデバイスがバックホール状態にある場合、バックホール側ベースバンド受信モジュールと無線周波数チャネルの１つの端部の間で接続された状態を維持するようにさらに構成され、
第２のスイッチモジュールは、バックホールデバイスがアクセス状態にある場合、無線周波数チャネルのその別の端部とアクセスアンテナの間で接続された状態を維持するように構成され、
第２のスイッチモジュールは、バックホールデバイスがバックホール状態にある場合、無線周波数チャネルのその別の端部とバックホールアンテナの間で接続された状態を維持するように構成される。
【０１０９】
ステップ１０３０：バックホールデバイスが、第３のスイッチモジュールを含む場合、その獲得された状態に応じて第３のスイッチモジュールを制御する。
【０１１０】
バックホールデバイスが第３のスイッチモジュールをさらに含む場合、第３のスイッチモジュールの接続ステータスもやはり、バックホールデバイスの状態と関係するため、制御モジュールがバックホールデバイスの状態を獲得した後、制御モジュールは、その獲得された状態に応じて第３のスイッチモジュールを制御し、
第３のスイッチモジュールは、バックホールデバイスがアクセス状態にある場合、アクセス側ベースバンド送信モジュールと無線周波数チャネルのその１つの端部の間で接続された状態を維持するように構成され、
第３のスイッチモジュールは、バックホールデバイスがバックホール状態にある場合、バックホール側ベースバンド送信モジュールと無線周波数チャネルのその１つの端部の間で接続された状態を維持するようにさらに構成される。
【０１１１】
結論として、この実施形態において提供されるバックホールデバイス制御方法によれば、スイッチモジュールが配置され、したがって、アクセス側とバックホール側が、同一の無線周波数チャネルを共有することが可能である。したがって、従来技術における無線周波数チャネルの低いリソース利用率および高い開発費用の問題が解決され、無線周波数チャネルが共有されて、リソース利用率を向上させることが可能である。さらに、無線周波数チャネルが複数の構成要素を含むことを考慮すると、無線周波数チャネルが共有され、このことが、システムに要求される構成要素の数量、およびシステムの開発費用を低減する。
【０１１２】
本発明の前述の実施形態の順序番号は、単に例示目的であり、それらの実施形態の優先順位を示すことは意図されていない。
【０１１３】
当業者は、それらの実施形態のステップのすべて、またはいくつかが、ハードウェア、または関連するハードウェアに命令するプログラムによって実施されることを理解する。そのプログラムは、コンピュータ可読記憶媒体の中に記憶される。その記憶媒体は、読取り専用メモリ、磁気ディスク、または光ディスクを含む。
【０１１４】
前述の説明は、本発明の単に例示的な実施形態であり、本発明を限定するように意図されていない。本発明の趣旨および原理を逸脱することなく行われるいずれの変形、均等の置換、および改良も、本発明の保護範囲に入るものとする。
【図１】
2017505568.tif 000003
【図２】
2017505568.tif 000004
【図３】
2017505568.tif 000005
【図４】
2017505568.tif 000006
【図５】
2017505568.tif 000007
【図６】
2017505568.tif 000008
【図７】
2017505568.tif 000009
【図８】
2017505568.tif 000010
【図９】
2017505568.tif 000011
【図１０】
2017505568.tif 000012
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
アクセス側ベースバンド送信モジュールと、アクセス側バックホール受信モジュールと、バックホール側ベースバンド送信モジュールと、バックホール側ベースバンド受信モジュールと、無線周波数チャネルと、第１のスイッチモジュールと、第２のスイッチモジュールと、アクセスアンテナと、バックホールアンテナとを備えるバックホールデバイスであって、
前記アクセス側ベースバンド送信モジュールと前記バックホール側ベースバンド送信モジュールは、前記無線周波数チャネルの１つの端部に別々に接続され、
前記アクセス側ベースバンド受信モジュールと前記バックホール側ベースバンド受信モジュールは、前記第１のスイッチモジュールの１つの端部に別々に接続され、前記第１のスイッチモジュールの別の端部は、前記無線周波数チャネルの前記１つの端部に接続され、
前記第１のスイッチモジュールは、前記バックホールデバイスがアクセス状態にある場合、前記アクセス側ベースバンド受信モジュールと前記無線周波数チャネルの前記１つの端部の間で接続された状態を維持するように構成され、
前記第１のスイッチモジュールは、前記バックホールデバイスがバックホール状態にある場合、前記バックホール側ベースバンド受信モジュールと前記無線周波数チャネルの前記１つの端部の間で接続された状態を維持するようにさらに構成され、
前記第２のスイッチモジュールの１つの端部は、前記無線周波数チャネルの別の端部に接続され、前記第２のスイッチモジュールの別の端部は、前記アクセスアンテナおよび前記バックホールアンテナに別々に接続され、
前記第２のスイッチモジュールは、前記バックホールデバイスが前記アクセス状態にある場合、前記無線周波数チャネルの前記別の端部とアクセスアンテナの間で接続された状態を維持するように構成され、
前記第２のスイッチモジュールは、前記バックホールデバイスが前記バックホール状態にある場合、前記無線周波数チャネルの前記別の端部と前記バックホールアンテナの間で接続された状態を維持するようにさらに構成されることを特徴とするバックホールデバイス。
【請求項２】
前記アクセス側ベースバンド送信モジュールと前記バックホール側ベースバンド送信モジュールは、第３のスイッチモジュールを使用することによって前記無線周波数チャネルの前記１つの端部に別々に接続され、
前記第３のスイッチモジュールは、前記バックホールデバイスが前記アクセス状態にある場合、前記アクセス側ベースバンド送信モジュールと前記無線周波数チャネルの前記１つの端部の間で接続された状態を維持するように構成され、
前記第３のスイッチモジュールは、前記バックホールデバイスが前記バックホール状態にある場合、前記バックホール側ベースバンド送信モジュールと前記無線周波数チャネルの前記１つの端部の間で接続された状態を維持するようにさらに構成されることを特徴とする請求項１に記載のデバイス。
【請求項３】
前記第１のスイッチモジュールおよび前記第２のスイッチモジュールに接続された制御モジュールをさらに備えるデバイスであって、前記バックホールデバイスが前記第３のスイッチモジュールを備える場合、前記制御モジュールは、前記第３のスイッチモジュールにさらに接続され、
前記制御モジュールは、前記バックホールデバイスの状態を獲得するように構成され、
前記制御モジュールは、前記バックホールデバイスが、前記第１のスイッチモジュールと、前記第２のスイッチモジュールとを備える場合、前記獲得された状態に応じて前記第１のスイッチモジュールおよび前記第２のスイッチモジュールを制御するようにさらに構成され、
前記制御モジュールは、前記バックホールデバイスが、前記第３のスイッチモジュールを備える場合、前記獲得された状態に応じて前記第３のスイッチモジュールを制御するようにさらに構成されることを特徴とする請求項１または２に記載のデバイス。
【請求項４】
前記無線周波数チャネルに配置された第１のストレージモジュールをさらに備えるデバイスであって、前記第１のストレージモジュールは、専用の線路を使用することによって前記制御モジュールに接続され、
前記第１のストレージモジュールは、異なる時点におけるバックホールデバイスの事前設定された状態を記憶するように構成され、
前記制御モジュールは、前記専用の線路を使用することによって前記第１のストレージモジュールからバックホールデバイスの前記状態を読み取るようにさらに構成されることを特徴とする請求項３に記載のデバイス。
【請求項５】
前記無線周波数チャネルに配置された第２のストレージモジュールをさらに備えるデバイスであって、前記第２のストレージモジュールは、前記無線周波数チャネルの前記別の端部と前記制御モジュールの間の線路を使用することによって前記制御モジュールに接続され、
前記第２のストレージモジュールは、異なる時点におけるバックホールデバイスの事前設定された状態を記憶するように構成され、
前記制御モジュールは、前記無線周波数チャネルの前記別の端部と前記制御モジュールの間の前記線路を使用することによって前記第２のストレージモジュールからバックホールデバイスの前記状態を読み取るようにさらに構成されることを特徴とする請求項３に記載のデバイス。
【請求項６】
前記無線周波数チャネルは、
送信機と、前記第１のスイッチモジュールに接続された受信機と、前記送信機および前記受信機に別々に接続されたサーキュレータと、一端が前記サーキュレータに接続されているフィルタとを備え、前記フィルタの別の端部は、前記第２のスイッチモジュールに接続され、
前記バックホールデバイスは、前記第３のスイッチモジュールを備えず、前記送信機は、前記アクセス側ベースバンド送信モジュールおよび前記バックホール側ベースバンド送信モジュールに別々に接続され、
前記バックホールデバイスが前記第３のスイッチモジュールを備える場合、前記送信機は、前記第３のスイッチモジュールに接続されることを特徴とする請求項１ないし５のいずれか一項に記載のデバイス。
【請求項７】
２つ以上の無線周波数チャネルが存在する場合、各無線周波数チャネルは、前記アクセス側ベースバンド送信モジュール、前記アクセス側ベースバンド受信モジュール、前記バックホール側ベースバンド送信モジュール、および前記バックホール側ベースバンド受信モジュールのグループに別々に対応し、
バックホールデバイスが、前記第１のストレージモジュールを備える場合、前記２つ以上の無線周波数チャネルは、前記第１のストレージモジュールを共有し、
バックホールデバイスは、前記第２のストレージモジュールを備え、前記２つ以上の無線周波数チャネルは、前記第２のストレージモジュールを共有することを特徴とする請求項１ないし５のいずれか一項に記載のデバイス。
【国際調査報告】
2017505568.tif 000013
2017505568.tif 000014
2017505568.tif 000015
2017505568.tif 000016